(57)【特許請求の範囲】
【請求項１】
通風路内を流れる空気の吹出し開口面積を調整するダンパと、
前記ダンパの回動軸線方向の一方の一端に設けられ、前記通風路の内壁の所定位置に突出させて接触保持されることにより、前記ダンパを回動自在に保持する第１のダンパ回動軸と、
前記ダンパの前記回動軸線方向の他方の一端に設けられ、前記通風路の内壁の所定位置に突出させて接触保持されることにより、前記ダンパを回動自在に保持する第２のダンパ回動軸と、
モータと、一端が前記モータの回転軸に接続され、他端が前記ダンパに回動可能に接続されて、前記モータが発生させたトルクにより前記ダンパを回転駆動させるリンク機構とから構成され、前記ダンパを回動させて前記ダンパの角度を変化させるダンパ回動駆動部と、
前記ダンパ回動駆動部を保持するダンパ回動駆動部保持ブラケット
とを前記通風路内に備え、
前記第１のダンパ回動軸と前記第２のダンパ回動軸のうち少なくとも一方は、伸縮可能な部材からなる伸縮部を有し、
前記ダンパ回動駆動部保持ブラケットの端部には接続部が設けられ、
前記接続部と、前記通風路の内周に前記接続部と対向するように設けられた取付部とによって前記通風路に着脱可能に取り付けられ、
前記通風路に取り付けられた状態で、
前記第１のダンパ回動軸および前記第２のダンパ回動軸が、それぞれ、前記通風路に形成された第１の軸受部および第２の軸受部に嵌め込まれることにより、前記ダンパを回動自在に保持する
ことを特徴とする可変風量装置。
【請求項２】
前記第１のダンパ回動軸と前記第２のダンパ回動軸とは、一体形成される
ことを特徴とする請求項１記載の可変風量装置。
【請求項３】
前記第１の軸受部および第２の軸受部は、それぞれ、前記通風路の外周面に、前記通風路の外側に突起するように形成された凹部である
ことを特徴とする請求項１記載の可変風量装置。
【請求項４】
前記第１の軸受部および第２の軸受部は、それぞれ、前記通風路に設置された、筒状のくぼみを有する部材である
ことを特徴とする請求項１記載の可変風量装置。
【請求項５】
前記第１の軸受部および第２の軸受部は、それぞれ、前記通風路に設置された、リング状の部材である
ことを特徴とする請求項１記載の可変風量装置。
【請求項６】
前記第１の軸受部および第２の軸受部は、それぞれ、前記通風路に設置された、表面に穴を有する板状の部材である
ことを特徴とする請求項１記載の可変風量装置。
【請求項７】
前記ダンパの面が前記通風路内の空気の流れに対し垂直に向けられた全閉状態において、前記ダンパの外周と前記通風路の内壁面との間には、設定された隙間が設けられる
ことを特徴とする請求項１から請求項６のうちのいずれか１項記載の可変風量装置。
【請求項８】
前記通風路の主要部は、吹出しユニットに設置された筒状の空気搬送路接続装置である
ことを特徴とする請求項１から請求項７のうちのいずれか１項記載の可変風量装置。
【請求項９】
隔壁で囲まれた内部空間と、第１の壁部に形成され当該第１の壁部に取り付けられた前記空気搬送路接続装置からの空気を取り込むための第１の開口部と、第２の壁部に形成され前記空気搬送路接続装置からの空気を室内に送出するための第２の開口部とを有する吹き出しユニット内において、前記空気搬送路接続装置に設置される
ことを特徴とする請求項８記載の可変風量装置。
【請求項１０】
前記モータは、
ギア付ステッピングモータである
ことを特徴とする請求項１記載の可変風量装置。
【発明の詳細な説明】
【技術分野】
【０００１】
この発明は、全館空調住宅、あるいは、ビル等の中央式空気調和システムの吹出しユニット等に設置される可変風量装置に関するものである。
【背景技術】
【０００２】
室内に送風する風量を調整する技術として、天井裏あるいは床下等、部屋の外でダクトに接続され、室内に送風する風量可変形吹出しユニット装置において、内部に風量可変ダンパが着脱自在に取り付けられるとともに部屋への吹出し口に連なる開口部を設けたケーシングと、当該ケーシング内に開口部から着脱自在に取り付けられたダンパ制御器と、部屋側から開口部に着脱自在に取り付けられる吹き出し口ユニット（グリル）とを具備する風量可変形吹出しユニット装置が知られている（例えば特許文献１）。
【先行技術文献】
【特許文献】
【０００３】
【特許文献１】特開平４−４５３４６号公報
【発明の概要】
【発明が解決しようとする課題】
【０００４】
従来の風量可変形吹出しユニット装置は、ダンパを設置するため、ケーシングの外側に、送風ダクトを受ける筒状の受け具を取り付け、当該受け具の中に着脱ダクトを取り付けて、当該着脱ダクトにダンパを収納するように構成されていた。
しかしながら、上述したような従来の構成では、送風ダクトを受ける筒状の受け具内に、さらに着脱ダクトが設置されているため、着脱ダクトの分だけ流路の内径が小さくなり、圧損が増加し、最大風量も減少するという課題があった。
【０００５】
この発明は、上記のような課題を解決するためになされたもので、流路の内径を確保しつつ、流路内部に設置でき、圧損の増加を抑制することができる可変風量装置を提供することを目的とする。
【課題を解決するための手段】
【０００６】
この発明に係る可変風量装置は、通風路内を流れる空気の吹出し開口面積を調整するダンパと、ダンパの回動軸線方向の一方の一端に設けられ、通風路の内壁の所定位置に突出させて接触保持されることにより、ダンパを回動自在に保持する第１のダンパ回動軸と、ダンパの回動軸線方向の他方の一端に設けられ、通風路の内壁の所定位置に突出させて接触保持されることにより、ダンパを回動自在に保持する第２のダンパ回動軸と、モータと、一端がモータの回転軸に接続され、他端がダンパに回動可能に接続されて、モータが発生させたトルクによりダンパを回転駆動させるリンク機構とから構成され、ダンパを回動させてダンパの角度を変化させるダンパ回動駆動部と、ダンパ回動駆動部を保持するダンパ回動駆動部保持ブラケットとを通風路内に備え、第１のダンパ回動軸と第２のダンパ回動軸のうち少なくとも一方は、伸縮可能な部材からなる伸縮部を有し、ダンパ回動駆動部保持ブラケットの端部には接続部が設けられ、接続部と、通風路の内周に接続部と対向するように設けられた取付部とによって通風路に着脱可能に取り付けられ、通風路に取り付けられた状態で、第１のダンパ回動軸および第２のダンパ回動軸が、それぞれ、通風路に形成された第１の軸受部および第２の軸受部に嵌め込まれることにより、ダンパを回動自在に保持することを特徴とするものである。
【発明の効果】
【０００７】
この発明によれば、流路の内径を確保しつつ、流路内部に設置でき、圧損の増加を抑制することができる。
【図面の簡単な説明】
【０００８】
【図１】図１は、この発明の実施の形態１に係る可変風量装置の構成を説明する図であって、図１Ａは、通風路を流れる空気に対してダンパ全閉状態とした場合を示す図であり、図１Ｂは、通風路を流れる空気に対してダンパ全開状態とした場合を示す図である。
【図２】実施の形態１おいてダンパ回動駆動部を構成するモータの構成の一例を説明する図である。
【図３】実施の形態１においてダンパ回動軸の詳細を説明するための図であり、図３Ａは、第１のダンパ回動軸と第２のダンパ回動軸とを棒状に一体形成した場合の図であり、図３Ｂは、ダンパの直径（回動軸線）方向の両端に個別に第１のダンパ回動軸と第２のダンパ回動軸とを設けた場合の図である。
【図４】実施の形態１において、第１のダンパ回動軸が有する伸縮部の拡大図であり、図４Ａは、第１の軸部が第２の軸部に押し込まれる前の初期状態を示し、図４Ｂは、第１の軸部が、バネの弾性に対抗して力を加えることにより第２の軸部に押し込まれた状態を示す図である。
【図５】この発明の実施の形態１に係る可変風量装置の、空気搬送路接続装置への取り付け方法の一例を説明する図であって、図５Ａは、可変風量装置が空気搬送路に接続される空気搬送路接続装置へ取り付けられる直前の状態を説明する図であり、図５Ｂは、可変風量装置が空気搬送路に接続される空気搬送路接続装置へ取り付けられた状態を説明する図である。
【図６】実施の形態１において、空気搬送路接続装置に設けられる軸受部の一例について説明する図である。
【図７】この発明の実施の形態１に係る可変風量装置が調整した空気を室内に送風する吹出しユニットの一例を説明するための図であって、図７Ａは、吹出しユニットの外観図であり、図７Ｂは、可変風量装置が空気搬送路接続装置に取り付けられ、ダンパ全開状態となっている吹出しユニットを、空気搬送路側からみた斜視図であり、図７Ｃは、可変風量装置が空気搬送路接続装置に取り付けられ、ダンパ全開状態となっている吹出しユニットを、室内への空気の送出口側からみた斜視図であり、図７Ｄは、図７Ｃにおいて、可変風量装置をダンパ全閉状態とした図である。
【図８】通風路において、ダンパ全閉状態に、ダンパの外周と通風路の内壁面との間に隙間が設けられないようにした構成の一例を説明する図である。
【図９】通風路において、ダンパ全閉状態に、ダンパの外周と通風路の内壁面との間に隙間が設けられないようにした構成の他の一例を説明する図である。
【発明を実施するための形態】
【０００９】
実施の形態１．
この発明の実施の形態１に係る可変風量装置１は、天井裏、あるいは、床下等、部屋の外においてダクト等の空気搬送路に接続された通風路内に取り付けられ、空気搬送路で搬送されて通風路経由で室内に送風される空気量を調整する。
【００１０】
図１は、この発明の実施の形態１に係る可変風量装置１の構成を説明する図であって、図１Ａは、通風路を流れる空気に対してダンパ全閉状態とした場合を示す図であり、図１Ｂは、通風路を流れる空気に対してダンパ全開状態とした場合を示す図である。
なお、この実施の形態１において、ダンパ全閉状態とは、ダンパ１１の面が、通風路内の空気の流れに対して垂直に向けられた状態をいい、ダンパ全開状態とは、ダンパ１１の面が、通風路内の空気の流れに対して水平に向けられた状態をいう。この実施の形態１において、ダンパ１１が通風路内の空気の流れに対して垂直に向けられた状態とは、略垂直に向けられた状態であることを含み、ダンパ１１が、通風路内を流れる空気を、その構造、構成において最も妨げられる程度に向けられていればよい。また、この実施の形態１において、ダンパ１１が通風路内の空気の流れに対して水平に向けられた状態とは、略水平に向けられた状態であることを含み、ダンパ１１が、通風路内を流れる空気を、当該空気の流れをその構造、構成において極力妨げることなく最も通過させられる程度に向けられていればよい。
【００１１】
可変風量装置１は、図１に示すように、通風路内に設置され、ダンパ１１と、モータ１２と、ダンパ回動駆動部保持ブラケット１３と、ダンパ回動軸１４と、リンク機構１５とを備える。
ダンパ１１は、通風路内を流れる空気の吹出し開口面積を調整する。
モータ１２は、ダンパ１１を回転駆動させるためのトルクを発生させる。
【００１２】
リンク機構１５は、ダンパ回動駆動部保持ブラケット１３の開口部（図示省略）を貫通して設置されているモータ１２の回転軸（後述する図２参照）にその一端を接続して、モータ１２の回転軸を中心に回動自在に保持され、他端がダンパ１１に回動可能に接続され、モータ１２が発生させたトルクによりダンパ１１を回転駆動させる。具体的には、リンク機構１５は、リンク部材１５ａとリンク部材１５ｂとからなり、リンク部材１５ａとリンク部材１５ｂとが摺動体としての連結軸１５ｃによって回動可能に連結され、リンク部材１５ａ，１５ｂの、連結軸１５ｃと反対側の一端が、それぞれ、モータ１２の回転軸とダンパ１１とに回動可能に、例えばネジ等により接続される。連結軸１５ｃは、図示していないが、段付きネジ（段部の外周部で摺動）、あるいは、カラー（カラーの外周部で摺動）とそれを貫通するネジなどから構成される。
【００１３】
なお、ここでは、リンク機構１５は、上述のように、リンク部材１５ａとリンク部材１５ｂとからなり、リンク部材１５ａとリンク部材１５ｂとが連結軸１５ｃによって回動可能に連結される構成としたが、これは一例に過ぎず、リンク機構１５は、一端をモータ１２の回転軸に接続して、モータ１２の回転軸を中心に回動自在に保持され、他端がダンパ１１に回動可能に接続されて、モータ１２が発生させたトルクによりダンパ１１を回転駆動可能な構成になっていればよい。
【００１４】
この実施の形態１では、モータ１２とリンク機構１５とで、ダンパ回動駆動部を構成する。
ここで、図２は、実施の形態１おいてダンパ回動駆動部を構成するモータ１２の構成の一例を説明する図である。
図２に示すように、この実施の形態１において、モータ１２は、ギア付ステッピングモータとする。これにより、モータ１２は、電圧パルス、あるいは電流パルス入力数のみでダンパ１１の動作角度を設定でき、ギアによって、回転トルク、および、電源オフ（無励磁）状態におけるダンパ角度を保持するトルクを大きくすることができる。
【００１５】
ダンパ回動駆動部保持ブラケット１３は、リンク機構１５に接続されてダンパ回動駆動部を構成するモータ１２を保持する。この実施の形態１において、ダンパ回動駆動部保持ブラケット１３は、平板状となるよう形成される。
ダンパ回動駆動部保持ブラケット１３は、平板状となる面が、ダンパ全閉状態において、ダンパ１１の表面と直交するように設けられる。ここでは、直交とは、略直交も含む。
【００１６】
ダンパ回動軸１４は、伸縮可能な部材からなり、通風路内を流れる空気の流路に対して直交する、ダンパ１１の直径方向の両端にそれぞれ設けられる。この実施の形態１において、ダンパ１１の直径（回動軸線）方向の両端に設けられるダンパ回動軸１４を、それぞれ、第１のダンパ回動軸１４ａ、第２のダンパ回動軸１４ｂというものとする。
第１のダンパ回動軸１４ａ、第２のダンパ回動軸１４ｂは、それぞれ、通風路の内周に設置された軸受部（第１の軸受部、第２の軸受部）にそれぞれ回動可能な状態で嵌め込まれることによって、ダンパ１１を通風路内で回動自在に保持する。軸受部については後述する。
【００１７】
図３は、ダンパ回動軸１４の詳細を説明するための図であり、図３Ａは、第１のダンパ回動軸１４ａと第２のダンパ回動軸１４ｂとを棒状に一体形成した場合の図であり、図３Ｂは、ダンパ１１の直径（回動軸線）方向の両端に個別に第１のダンパ回動軸１４ａと第２のダンパ回動軸１４ｂとを設けた場合の図である。なお、図３においては、通風路内を流れる空気は、図面上、上下方向に流れるものとしている。また、図３においては、説明の簡単のため、ダンパ回動駆動部等の記載は省略している。
【００１８】
図３Ａ、図３Ｂに示すように、第１のダンパ回動軸１４ａ，第２のダンパ回動軸１４ｂは、通風路内を流れる空気の流路に対して直交する、ダンパ１１の直径（回動軸線）方向の両端に、それぞれ、一端が、ダンパ１１の外側に突出するように設けられる。第１のダンパ回動軸１４ａと、第２のダンパ回動軸１４ｂとは、通風路内を流れる空気の流路に対して直交する、ダンパ１１の直径方向の両端に、それぞれ、一端が、ダンパ１１の外側に突出するように設けられるものであれば、棒状に一体形成されるものであっても（図３Ａ参照）、個別に設けられるもの（図３Ｂ参照）であってもよい。
なお、この実施の形態１では、図１にも示すように、ダンパ回動軸１４は、ダンパ１１の直径（回動軸線）方向の両端に、それぞれ、一端がダンパ１１の外側に突出するように、個別に２つ（第１のダンパ回動軸１４ａ，第２のダンパ回動軸１４ｂ）設けられるものとしている（図３Ｂ参照）。
また、図３Ａ、図３Ｂに示すように、第１のダンパ回動軸１４ａは、伸縮部１４１を有する。なお、ここでは、第１のダンパ回動軸１４ａが伸縮部１４１を有するものとして以下説明するが、これに限らず、第２のダンパ回動軸１４ｂが伸縮部１４１を有するものであってもよいし、第１のダンパ回動軸１４ａ，第２のダンパ回動軸１４ｂそれぞれが伸縮部１４１を有するものであってもよく、第１のダンパ回動軸１４ａ，第２のダンパ回動軸１４ｂのうち、少なくともいずれか一方が、伸縮部１４１を有するようになっていればよい。
【００１９】
図４は、第１のダンパ回動軸１４ａが有する伸縮部１４１の拡大図であり、図４Ａは、第１の軸部１４１ａが第２の軸部１４１ｂに押し込まれる前の初期状態を示し、図４Ｂは、第１の軸部１４１ａが、バネ１４１ｃの弾性に対抗して力を加えることにより第２の軸部１４１ｂに押し込まれた状態を示す図である。
図４Ａ、図４Ｂに示すように、第１のダンパ回動軸１４ａは、第１の軸部１４１ａと第２の軸部１４１ｂを有し、当該第１の軸部１４１ａの一方の先端が、第２の軸部１４１ｂに設けられた穴に挿入されるようになっている。第１の軸部１４１ａと第２の軸部１４１ｂとは、バネ１４１ｃによって接続され、バネ１４１ｃの弾性に対抗して力を加えることにより、第１の軸部１４１ａが第２の軸部１４１ｂに押し込まれる。
第１のダンパ回動軸１４ａが、第１の軸部１４１ａと第２の軸部１４１ｂとバネ１４１ｃとで伸縮部１４１を形成し、上述のように伸縮部１４１が伸縮することによって、当該伸縮部１４１が、通風路の内周に設けられた軸受部に回動可能な状態で嵌め込まれ、ダンパ１１が通風路内に回動自在に設置される。
なお、ダンパ回動軸１４の一端は、ダンパ１１の外側に突出した突出部分が、通風路の内周に設けられた軸受部に引っ掛かる程度の長さだけ突出するようになっていればよい。また、第１の軸部１４１ａが、第２の軸部１４１ｂに設けられた穴から抜けないように図示されていない抜け止め機構を設けてもよい。
【００２０】
可変風量装置１において、ダンパ回動駆動部がトルクを発生させ、ダンパ１１を回転駆動させる動作は、可変風量装置１を総括的に制御する制御部（不図示）により制御される。
例えば、ダンパ１１が、図１Ａに示すように全閉状態から、制御部の制御に基づき、モータ１２がトルクを発生させると、リンク部材１５ａがモータ１２の回転軸を中心に図１Ａ上、奥行方向に回動する。これに伴い、連結軸１５ｃでリンク部材１５ａと摺動可能に接続されたリンク部材１５ｂも引っ張られて図１Ａ上、奥行方向に回動し、リンク部材１５ｂの他端に接続され、ダンパ回動軸１４により回動自在に保持されたダンパ１１を開き方向へ回動させることができる。
【００２１】
また、例えば、ダンパ１１が、図１Ｂに示すように全開状態から、制御部の制御に基づき、モータ１２がトルクを発生させると、リンク部材１５ａがモータ１２の回転軸を中心に図１Ｂ上、手前方向に回動する。これに伴い、連結軸１５ｃでリンク部材１５ａを摺動可能に接続されたリンク部材１５ｂも押されて図１Ｂ上、手前方向に回動し、リンク部材１５ｂの他端に接続され、ダンパ回動軸１４により回動自在に保持されたダンパ１１を閉じ方向へ回動させることができる。
【００２２】
このように、制御部の制御に基づき、可変風量装置１において、ダンパ１１が、図１Ａに示すダンパ全閉状態から、図１Ｂに示すダンパ全開状態まで、９０度程度回動可能となる。なお、可変風量装置１は、ダンパ１１を、全閉状態から全開状態までの間の適宜の位置まで回動させて、その角度を保持することができる。
【００２３】
従来から知られているような技術では、ダンパの直径方向に回転軸を設け、当該回転軸を、ダンパの外周の外側に位置する着脱ダクトなどの管を貫通して延長し、着脱ダクトなどの管の外側でダンパモータの回転軸と、回転歯車を介し、当該回転歯車の噛み合わせにより回転結合するようにしているため、ダンパを３６０度回転できる構造になっていた。しかしながら、ダンパは、風量を調整するという機能上、最大でも９０度回転できるようになっていればよく、３６０度回転させる必要はない。
そこで、この実施の形態１に係る可変風量装置１では、上述のように、ダンパ１１を９０度回転可能とし、ダンパ１１を回転可能に保持するダンパ回動軸１４で保持させ、ダンパ１１を回動駆動させるダンパ回動駆動部として、ダンパ回動駆動部保持ブラケット１３に取り付けたモータ１２の回転軸にその一端が接続されモータ１２のトルクにより回動するリンク機構１５が、直接ダンパ１１に接続されるようにした。
これにより、着脱ダクト、および、着脱ダクトの外側でダンパの回転軸とダンパモータの回転軸とを回転歯車のかみ合わせにより回転結合させるような構成を不要としている。
その結果、着脱ダクトが不要になるため、着脱ダクトの分だけ流路の内径が小さくなることがなく、圧損が増加することを抑制し、最大風量が減少することも抑制することができる。また、通風路の外側にダンパ回動駆動部を配置する必要がなくなり、通風路内からのメンテナンスなどを可能とすることができる。
また、モータ１２とダンパ１１との接続においてリンク機構１５を用いているため、取り付けのずれ等に対する許容度や設計自由度を大きくすることができる。
【００２４】
また、可変風量装置１において、ダンパ１１の直径は、通風路の直径にあわせて適宜設定可能とするが、図１Ａに示すように、ダンパ１１が、通風路内の空気の流れに対して垂直に向けられたダンパ全閉状態において、ダンパ１１の外周と通風路の内壁面との間に予め設定された隙間（図１Ａのｈ）が設けられるようにする。
予め設定された隙間とは、ダンパ１１の外周と通風路の内壁面との間に必要最低換気風量を流すことができるだけの間隔であればよい。
このように、ダンパ１１の外周と通風路の内壁面との間に予め設定された隙間が設けられるようにすることで、ダンパ１１の状態にかかわらず、気密住宅などで決められている必要最低換気風量を確保することができる。
【００２５】
次に、図１Ａ，図１Ｂを用いて説明した可変風量装置１の取り付け方法について、図１Ａ，図１Ｂでの通風路に相当する空気搬送路接続装置２１を例にして説明する。
図５は、この発明の実施の形態１に係る可変風量装置１の、空気搬送路接続装置２１への取り付け方法の一例を説明する図であって、図５Ａは、可変風量装置１が空気搬送路に接続される空気搬送路接続装置２１へ取り付けられる直前の状態を説明する図であり、図５Ｂは、可変風量装置１が空気搬送路に接続される空気搬送路接続装置２１へ取り付けられた状態を説明する図である。
なお、ここでは、空気搬送路とは、ダクト等、空調機からの空気を搬送する通風路のことをいう。
ダクト等の空気搬送路には、当該空気搬送路を受ける筒状の空気搬送路接続装置２１が取り付けられ、当該空気搬送路接続装置２１に可変風量装置１が取り付けられる。
【００２６】
図５に示すように、ダンパ回動駆動部保持ブラケット１３は、ダンパ回動駆動部保持ブラケット１３の長手方向であって、ダンパ１１の外周側の端部に、接続部１３ａを有する。当該接続部１３ａは、例えば、ダンパ回動駆動部保持ブラケット１３の端部に一定の高さを有する切り残し部（図示省略）が設けられ、当該切り残し部をダンパ１１側へ直角に曲げ起こして形成される。ここでは、直角とは、略直角を含む。また、ここでは、接続部１３ａは、ネジ穴を有するものとする。
なお、上述した接続部１３ａの形成方法は一例にすぎず、その他の方法で接続部１３ａが形成されるものであってもよく、接続部１３ａによって、可変風量装置１が、空気搬送路接続装置２１の内壁に着脱可能に取り付けられるようになっていればよい。
【００２７】
図５に示すように、空気搬送路接続装置２１の内周面には、空気搬送路側に突起した取付部２２が設けられる。取付部２２は、ここでは、ネジ穴を有するものとし、ネジ留め等により、空気搬送路接続装置２１の内周面に取り付けられているものとする。
なお、取付部２２は、空気搬送路接続装置２１の内周の中心と可変風量装置１のダンパ１１の中心とが同軸上になるように空気搬送路接続装置２１と可変風量装置１とを対向させて配置した状態で、可変風量装置１のダンパ回動駆動部保持ブラケット１３の長手方向端部に設けられた接続部１３ａと対向する位置に設けられる。
【００２８】
また、図５Ａに示すように、空気搬送路接続装置２１の内周面には、空気搬送路接続装置２１の外側に突起した円柱状の凹部である軸受部２３が形成される。
軸受部２３は、空気搬送路接続装置２１の内周の中心と可変風量装置１のダンパ１１の中心とが同軸上になるように空気搬送路接続装置２１と可変風量装置１とを対向させて配置した状態で、可変風量装置１の第１のダンパ回動軸１４ａおよび第２のダンパ回動軸１４ｂにそれぞれ対向する位置に２箇所設けられる。
ここでは、可変風量装置１の第１のダンパ回動軸１４ａと対向する位置に設けられた軸受部２３を第１の軸受部２３ａ、可変風量装置１の第２のダンパ回動軸１４ｂと対向する位置に設けられた軸受部２３を第２の軸受部２３ｂとする。
【００２９】
可変風量装置１は、空気搬送路側のダンパ１１の表面が空気搬送路接続装置２１と対向する向きで、可変風量装置１の接続部１３ａと、空気搬送路接続装置２１の取付部２２とによって、空気搬送路接続装置２１に着脱可能に取り付けられる。
可変風量装置１を空気搬送路接続装置２１に取り付ける際は、まず、空気搬送路接続装置２１の軸受部２３と可変風量装置１のダンパ回動軸１４の位置、および、空気搬送路接続装置２１の取付部２２と可変風量装置１の接続部１３ａの位置をあわせる。
そして、可変風量装置１の第１のダンパ回動軸１４ａを、空気搬送路接続装置２１に形成された第１の軸受部２３ａに嵌め込み、当該第１のダンパ回動軸１４ａが有する伸縮部１４１を押し込んで縮め、可変風量装置１の第２のダンパ回動軸１４ｂを、空気搬送路接続装置２１に形成された第２の軸受部２３ｂに嵌め込む。
さらに、ネジ３１にスプリングワッシャ３２、ワッシャ３３を、スプリングワッシャ３２、ワッシャ３３の順に嵌め、当該スプリングワッシャ３２およびワッシャ３３を嵌めたネジ３１を可変風量装置１側から締め付けて、接続部１３ａを取付部２２に固定する。
以上により、可変風量装置１が、空気搬送路接続装置２１に取り付けられ、可変風量装置１のダンパ１１が、ダンパ回動軸１４によって回動自在に保持される
【００３０】
図５Ｂに示すように、可変風量装置１が空気搬送路接続装置２１に取り付けられると、可変風量装置１の一部が空気搬送路接続装置２１内に収納される。
具体的には、可変風量装置１のダンパ１１とダンパ回動軸１４、および、ダンパ回動駆動部保持ブラケット１３の一部と、モータ１２の一部と、リンク機構１５の一部とが、空気搬送路接続装置２１内に収納される。なお、可変風量装置１が機能するには、少なくともダンパ１１が、空気搬送路接続装置２１内に収納されていればよい。
このように、筒状の空気搬送路接続装置２１が、空調機と接続されるダクト等の空気搬送路との接続のための部品と、風量を制御する可変風量装置１の通風路としての構成部品を兼ねることができ、着脱ダクト等を必要としない分、ダンパ１１の取り付けの際の部品点数を削減することができる。また、空気の流路の内径を確保し、圧損の増加を抑制することができる。
【００３１】
なお、可変風量装置１を取り外す際は、ネジ３１をゆるめ、可変風量装置１の第１のダンパ回動軸１４ａの伸縮部１４１を押し縮め、第２のダンパ回動軸１４ｂを空気搬送路接続装置２１の第２の軸受部２３ｂへの嵌め込みを外して取り外せばよい。
このように、可変風量装置１は、空気搬送路接続装置２１に容易に取り付け、あるいは、取り外しを行うことができる。
【００３２】
ここで、図６は、実施の形態１において、空気搬送路接続装置２１に設けられる軸受部２３の一例について説明する図である。
上述の説明では、軸受部２３は、図６（ａ）に示すように、空気搬送路接続装置２１の内周面に、空気搬送路接続装置２１の外側に突起した凹部として形成されるものとし、当該凹部に、可変風量装置１のダンパ回動軸１４が嵌めこまれ、ダンパ１１が回動自在に保持されるものとした。
しかし、空気搬送路接続装置２１に設けられる軸受部２３の形状はこれに限らない。
例えば、図６（ｂ）に示すように、軸受部２３を、筒状のくぼみを有する部材とし、空気搬送路接続装置２１に穴を開け、当該穴に、空気搬送路接続装置２１の内周側から軸受部２３を設置するようにしてもよい。
また、例えば、図６（ｃ）に示すように、軸受部２３を、表面に穴を有する板状の部材とし、当該軸受部２３を、空気搬送路接続装置２１の内周側に設置するようにしてもよい。
また、軸受部２３を、リング状の部材とし、当該軸受部２３を、空気搬送路接続装置２１の内周側に設置するようにしてもよい。
軸受部２３を、空気搬送路接続装置２１の内周面に凹部として形成すれば、部品点数を削減することができるが、このように、軸受部２３を、筒状のくぼみを有する部材、表面に穴を有する板状の部材、あるいは、リング状の部材とすることで、当該軸受部２３によってダンパ回動軸１４をより確実に保持することができる。
【００３３】
図７は、この発明の実施の形態１に係る可変風量装置１が調整した空気を室内に送風する吹出しユニット４１の一例を説明するための図である。
図７Ａは、吹出しユニット４１の外観図であり、図７Ｂは、可変風量装置１が空気搬送路接続装置２１に取り付けられ、ダンパ全開状態となっている吹出しユニット４１を、空気搬送路側からみた斜視図であり、図７Ｃは、可変風量装置１が空気搬送路接続装置２１に取り付けられ、ダンパ全開状態となっている吹出しユニット４１を、室内への空気の送出口側からみた斜視図であり、図７Ｄは、図７Ｃにおいて、可変風量装置１をダンパ全閉状態とした図である。
【００３４】
吹出しユニット４１は、天井裏や床下等、部屋の外でダクト等に接続され、可変風量装置１が調整した空気を室内に送風する。
図７Ａに示すように、吹出しユニット４１は、隔壁で囲まれた内部空間と、壁部に形成された第１の開口部４２、第２の開口部４３を有する。ここでは、第１の開口部４２が形成される壁部を第１の壁部、第２の開口部４３が形成される壁部を第２の壁部ともいうものとする。
第１の壁部の外側には、空調機からの空気搬送路と接続される、筒状の空気搬送路接続装置２１が、例えば、ネジ留め等により取り付けられ、第１の開口部４２は、当該空気搬送路接続装置２１からの空気を、吹出しユニット４１内部に取り込むための流入口である。なお、図７Ｂ〜図７Ｄに示すように、第１の開口部４２の内周は、空気搬送路接続装置２１の内周と略同じになるようにする。
第２の開口部４３は、室内に送風を行うための吹き出し口であり、空気搬送路接続装置２１からの空気を室内に送出するための吹き出し口である。
なお、第２の開口部４３には、格子状のグリル４４が着脱可能に嵌めこまれている。
【００３５】
図７Ｂ〜図７Ｄに示すように、可変風量装置１は、第２の開口部４３を利用してアクセス可能であるため、例えば、可変風量装置１のメンテナンスや交換の際には、作業者等が、第２の開口部４３に嵌めこまれているグリル４４を取り外して、メンテナンスや交換の対応をすることができる。
このように、室内に向けて開口している第２の開口部４３を利用して可変風量装置１の取り外し、取り付け、あるいは、メンテナンスを行うことができるので、例えば、天井等に、可変風量装置１の着脱あるいはメンテナンスのための点検口を設ける必要がなく、点検口設置のための面倒な工事を不要とし、天井等の外観を損なうこともなく、容易に可変風量装置１の取り外し、取り付け、あるいは、メンテナンスを行うことが可能となる。
【００３６】
なお、第１の開口部４２に対するダンパ１１の開口方向は、図７に示されたものに限定されるものではなく、どの向きに配置してもよい。また、第１の開口部４２は、図７に示されたものに限定されるものではなく、吹出しユニット４１の第２の開口部４３以外の壁部であればどこの壁部に設けられてもよい。
【００３７】
吹出しユニット４１の内部には、回動駆動部用回路（図示省略）がコネクタで接続されて設置される。
可変風量装置１の制御部は、回動駆動部用回路で発生したパルス電圧、あるいは、パルス電流をモータ１２に与えて、モータ１２にトルクを発生させる。
【００３８】
なお、以上の説明では、通風路や空気搬送路接続装置２１は、図３，図４に示すように、断面、すなわち、可変風量装置１が取り付けられる面は、円形としたが、これに限らず、例えば、楕円や、矩形等であってもよい。
また、可変風量装置１が備えるダンパ１１についても、円形に限定されず、例えば、楕円、矩形等、通風路や空気搬送路接続装置２１の断面にあわせた形状とすることができる。
【００３９】
また、以上の説明では、ダンパ回動駆動部保持ブラケット１３は、平板状としたが、これに限らず、例えば、Ｌ字形状、あるいは、Ｔ字形状等としてもよく、ダンパ１１の回動を妨げずにモータ１２等を保持できる強度があるものであればよい。ダンパ回動駆動部保持ブラケット１３を、Ｌ字形状、Ｔ字形状とすれば、平板状とする場合よりも、ダンパ回動駆動部保持ブラケット１３の強度をより強くすることができ、変形をより抑制することができる。
【００４０】
また、ダンパ回動駆動部保持ブラケット１３は、空気搬送路接続装置２１に取り付けられるのではなく、吹出しユニット４１の壁面にボルト等で着脱可能に取り付けられるようにしてもよい。
また、ダンパ回動駆動部保持ブラケット１３には、ダンパ１１の全開位置、あるいは、全閉位置を規定するためのストッパが設けられるようにしてもよい。
【００４１】
また、以上の説明では、第１のダンパ回動軸１４ａ，第２のダンパ回動軸１４ｂのうち、少なくともいずれか一方が、伸縮部１４１を有するものとしたが、これに限らず、第１のダンパ回動軸１４ａ，第２のダンパ回動軸１４ｂのうち、少なくともいずれか一方が、可変風量装置１の空気搬送路接続装置２１への取付時のみ屈曲する屈曲部を有するようにし、当該屈曲部を折り曲げ、あるいは、伸ばすことで、第１のダンパ回動軸１４ａ、あるいは、第２のダンパ回動軸１４ｂを、空気搬送路接続装置２１の第１の取付部２２ａ、あるいは、第２の取付部２２ｂに嵌め込むようにしてもよい。
【００４２】
また、以上の説明では、空気搬送路は、例えば、機械室などに設置された空調機に接続されたダクトを想定したが、これに限らず、空気搬送路は、天井と床に挟まれた空間である階間、床下の空間、中空パネル等、空気を搬送できる流路となるものであればよい。
【００４３】
また、以上の説明では、通風路において、ダンパ全閉状態に、ダンパ１１の外周と通風路の内壁面との間に予め設定された隙間（図１Ａのｈ）が設けられるようにするものとしたが、具体的な数字をあげて当該隙間の一例について説明する。
例えば、約φ１５０ｍｍのダクトが接続される筒状の空気搬送路接続装置２１（外形約φ１４８ｍｍ、内径約φ１４６ｍｍ）においては、ダンパ１１の直径は約φ１４０ｍｍに設定される。つまり、ダンパ１１の外周と通風路の内壁面との間に必要最低換気量を流すことができる隙間は３ｍｍ程度に設定される。このように、この隙間の面積は、通風路、あるいは、空気搬送路接続装置２１の内側の断面積の１０％に設定される。気密住宅等で決められている必要最低換気風量は、例えば、４畳半（天井高さ２．５ｍ）の部屋における最低換気量は、約１０ｍ３／ｈである。
なお、当該隙間は、ダンパ１１の設置ずれ、あるいは、通風路の歪み等によるダンパ１１と通風路内壁との接触を防止する目的も兼ねている。
【００４４】
また、当該隙間は、必ず必要なものではなく、ダンパ１１の全閉状態において、通風路を流れる風量がほぼゼロとなるような構造としてもよい。例えば、図８に示すように、ダンパ１１の形状を楕円にして通風路内壁に接触させて通風路が閉め切られるようにしてもよい。なお、図８においては、説明の簡単のため、可変風量装置１の構成のうちダンパ１１のみを記載してダンパ回動駆動部等の記載は省略し、空気搬送路接続装置２１の記載についても同様に省略している。
その他、例えば、図９に示すように、通風路内壁に突起部２４を形成して、当該突起部２４にダンパ１１が押し当てられることで通風路が閉め切られるようにしてもよい。なお、図９においては、説明の簡単のため、可変風量装置１の構成のうちダンパ１１のみを記載してダンパ回動駆動部等の記載は省略し、空気搬送路接続装置２１の記載についても同様に省略している。
【００４５】
また、可変風量装置１の、空気搬送路接続装置２１内の空気の流れ方向における配置は、図７に示したものに限定されず任意に決めることができるが、空気搬送路接続装置２１内の空気の流れ方向におけるダンパ１１の位置、つまり、ダンパ１１の全閉時の面から吹出しユニット４１の第１の開口部４２までの距離はダンパ１１の開度と風量の特性に影響するので、設置性やメンテナンス性からの要求も考慮して、妥当な性能になる位置に設定する。
また、さらなる圧損低減のため、モータ１２、リンク機構１５、ダンパ回動駆動部保持ブラケット１３等の構成部品は、できるだけ空気の流れの抵抗にならないようなサイズ、形状、配置にすることが好ましく、空気搬送路接続装置２１から吹出しユニット４１内にはみ出すように配置することが圧損低減のためには好ましい。
また、ダンパ回動駆動部保持ブラケット１３の接続部１３ａに対応する取付部２２を、空気搬送路接続装置２１内ではなく、吹出しユニット４１内に設置してもよい。
【００４６】
また、上述したように、この発明の実施の形態１に係る可変風量装置１では、着脱ダクト、あるいは、着脱ダクトの外側でダンパの回転軸とダンパモータの回転軸とを回転歯車の噛み合わせにより回転結合させるような構成を不要としたため、着脱ダクト、あるいは、着脱ダクトの外側でダンパの回転軸とダンパモータの回転軸とを噛み合わせる歯車等を収納するためのスペースが不要となり、従来の吹出しユニットに比べて、吹出しユニット４１を小型化することができる。また、例えば、可変風量装置１を空気搬送路接続装置２１に取り付ける際に、モータ１２とダンパ１１との接続部などの位置合わせの必要がなく、取り扱いの煩雑さも緩和される。
【００４７】
また、この発明の実施の形態１に係る可変風量装置１は、上述したように、吹出しユニット４１での使用に適しているが、これに限らず、例えば、ダクト等の内部、あるいは、ダクトの分岐ボックス等の内部に設置して、ダクト等、あるいは、ダクトの分岐ボックス等を流れる風量を、可変風量装置１で調整するような用途に使用されるものであってもよい。
【００４８】
以上のように、この実施の形態１によれば、可変風量装置１は、通風路内を流れる空気の吹出し開口面積を調整するダンパ１１と、ダンパ１１の回動軸線方向の一方の一端に設けられ、通風路の内壁の所定位置に突出させて接触保持されることにより、ダンパ１１を回動自在に保持する第１のダンパ回動軸１４ａと、ダンパ１１の回動軸線方向の他方の一端に設けられ、通風路の内壁の所定位置に突出させて接触保持されることにより、ダンパ１１を回動自在に保持する第２のダンパ回動軸１４ｂと、モータ１２と、一端がモータ１２の回転軸に接続され、他端がダンパ１１に回動可能に接続されて、モータ１２が発生させたトルクによりダンパ１１を回転駆動させるリンク機構１５とから構成され、ダンパ１１を回動させてダンパ１１の角度を変化させるダンパ回動駆動部と、ダンパ回動駆動部を保持するダンパ回動駆動部保持ブラケット１３とを通風路内に備え、第１のダンパ回動軸１４ａと第２のダンパ回動軸１４ｂのうち少なくとも一方は、伸縮可能な部材からなる伸縮部を有し、ダンパ回動駆動部保持ブラケット１３の端部には接続部１３ａが設けられ、接続部１３ａと、通風路の内周に接続部と対向するように設けられた取付部２２とによって通風路に着脱可能に取り付けられ、通風路に取り付けられた状態で、第１のダンパ回動軸１４ａおよび第２のダンパ回動軸１４ｂが、それぞれ、通風路に形成された第１の軸受部２３ａおよび第２の軸受部２３ｂに嵌め込まれることにより、ダンパ１１を回動自在に保持するようにしたので、着脱ダクトのような部品を不要とし、流路の内径を確保し、圧損の増加を抑制することができる。
【００４９】
なお、本願発明はその発明の範囲内において、実施の形態の任意の構成要素の変形、もしくは実施の形態の任意の構成要素の省略が可能である。
【符号の説明】
【００５０】
１  可変風量装置
１１  ダンパ
１２  モータ
１３  ダンパ回動駆動部保持ブラケット
１３ａ  接続部
１４  ダンパ回動軸
１４ａ  第１のダンパ回動軸
１４ｂ  第２のダンパ回動軸
１５  リンク機構
１５ａ，１５ｂ  リンク部材
１５ｃ  連結軸
２１  空気搬送路接続装置
２２  取付部
２３  軸受部
２３ａ  第１の軸受部
２３ｂ  第２の軸受部
２４  突起部
３１  ネジ
３２  スプリングワッシャ
３３  ワッシャ
４１  吹出しユニット
４２  第１の開口部
４３  第２の開口部
４４  グリル
１４１  伸縮部
１４１ａ  第１の軸部
１４１ｂ  第２の軸部
１４１ｃ  バネ
【図１】
0006700999.tif 000002
【図２】
0006700999.tif 000003
【図３】
0006700999.tif 000004
【図４】
0006700999.tif 000005
【図５】
0006700999.tif 000006
【図６】
0006700999.tif 000007
【図７】
0006700999.tif 000008
【図８】
0006700999.tif 000009
【図９】
0006700999.tif 000010